(57)【特許請求の範囲】
【請求項１】
主電源をオフにするための主電源スイッチと、
前記主電源スイッチがオフにされたことを検知する検知手段と、
ログ情報が記憶される記憶手段と、
前記記憶手段にログ情報を記憶する第１処理、および、前記主電源をオフにするために必要な第２処理を行なう管理手段と、
前記主電源をオフにするために必要な第３処理を行い、ログ情報を生成し、該生成されたログ情報について前記管理手段に前記第１処理を行わせるための第１要求信号を前記管理手段に送信する生成手段と、
前記検知手段が前記主電源スイッチがオフにされたことを検知すると、前記管理手段に前記第２処理を行わせるための第２要求信号を送信し、前記生成手段に前記第３処理を行わせるための第３要求信号を送信する要求手段と、を有し、
前記生成手段は、前記第３処理および、前記第１要求信号の送信処理が終了すると、前記要求手段に第３終了信号を送信し、
前記管理手段は、前記第２処理が終了すると、第２終了信号を前記要求手段に送信し、
前記要求手段は、前記第２終了信号および前記第３終了信号を受信すると、ログ記憶要求終了信号を前記管理手段に送信し、
前記管理手段は、前記ログ記憶要求終了信号を受信する時までに前記第１要求信号により記憶されることが要求されている、全てのログ情報を前記記憶手段に記憶させ、主電源をオフにすることを特徴とする画像処理装置。
【請求項２】
前記管理手段は、前記記憶手段にログ情報を記憶させる処理が終了すると、該終了を示す終了ログ情報を前記記憶手段に記憶させることを特徴とする請求項１記載の画像処理装置。
【請求項３】
前記管理手段が、前記記憶手段にログ情報を記憶させる処理が終了すると、該終了を示す終了ログ情報を前記記憶手段に記憶させるか否かが選択される第１選択手段を有することを特徴とする請求項１記載の画像処理装置。
【請求項４】
前記管理手段による前記記憶手段にログ情報を記憶させる処理が、予め定められた所定時間内に終了しないときは、該終了しない旨の情報を表示する表示手段を有することを特徴とする請求項１〜３何れか１項記載の画像処理装置。
【請求項５】
前記管理手段による前記記憶手段にログ情報を記憶させる処理が、予め定められた所定時間内に終了しないときは、前記主電源をオフにするか、前記記憶手段にログ情報を記憶させる処理を継続するか、が選択される第２選択手段を有することを特徴とする請求項１〜４何れか１項記載の画像処理装置。
【請求項６】
前記管理手段による前記記憶手段にログ情報を記憶させる処理が、予め定められた所定時間内に終了しないときに、前記主電源をオフにした場合には、次の起動時に、該主電源をオフにしたことを示すログ情報を前記記憶手段に記憶させることを特徴とする請求項１〜５何れか１項記載の画像処理装置。
【請求項７】
主電源をオフにするための主電源スイッチと、
前記主電源スイッチがオフにされたことを検知する検知手段と、
ログ情報が記憶される記憶手段と、
前記記憶手段にログ情報を記憶する第１処理、および、前記主電源をオフにするために必要な第２処理を行なう管理手段と、
前記主電源をオフにするために必要な第３処理を行い、ログ情報を生成し、該生成されたログ情報について前記管理手段に前記第１処理を行わせるための第１要求信号を前記管理手段に送信する生成手段と、
前記検知手段が前記主電源スイッチがオフにされたことを検知すると、前記管理手段に前記第２処理を行わせるための第２要求信号を送信し、前記生成手段に前記第３処理を行わせるための第３要求信号を送信する要求手段と、を有する画像処理装置の制御方法において、
前記生成手段は、前記第３処理および、前記第１要求信号の送信処理が終了すると、前記要求手段に第３終了信号を送信する第１送信工程と、
前記管理手段は、前記第２処理が終了すると、第２終了信号を前記要求手段に送信する第２工程と、
前記要求手段は、前記第２終了信号および前記第３終了信号を受信すると、ログ記憶要求終了信号を前記管理手段に送信する第３送信工程と、
前記管理手段は、前記ログ記憶要求終了信号を受信する時までに前記第１要求信号により記憶されることが要求されている、全てのログ情報を前記記憶手段に記憶させ、主電源をオフにする主電源オフ工程と、を有することを特徴とする画像処理装置の制御方法。
【請求項８】
前記管理手段は、前記記憶手段にログ情報を記憶させる処理が終了すると、該終了を示す終了ログ情報を前記記憶手段に記憶させる第１記憶工程を有することを特徴とする請求項７記載の画像処理装置の制御方法。
【請求項９】
前記管理手段が、前記記憶手段にログ情報を記憶させる処理が終了すると、該終了を示す終了ログ情報を前記記憶手段に記憶させるか否かが選択される第１選択工程を有することを特徴とする請求項７記載の画像処理装置の制御方法。
【請求項１０】
前記管理手段による前記記憶手段にログ情報を記憶させる処理が、予め定められた所定時間内に終了しないときは、該終了しない旨の情報を表示する表示工程を有することを特徴とする請求項７〜９何れか１項記載の画像処理装置の制御方法。
【請求項１１】
前記管理手段による前記記憶手段にログ情報を記憶させる処理が、予め定められた所定時間内に終了しないときは、前記主電源をオフにするか、前記記憶手段にログ情報を記憶させる処理を継続するか、が選択される第２選択手段を有することを特徴とする請求項７〜１０何れか１項記載の画像処理装置の制御方法。
【請求項１２】
前記管理手段による前記記憶手段にログ情報を記憶させる処理が、予め定められた所定時間内に終了しないときに、前記主電源をオフにした場合には、次の起動時に、該主電源をオフにしたことを示すログ情報を前記記憶手段に記憶させる第２記憶工程を有することを特徴とする請求項７〜１１何れか１項記載の画像処理装置の制御方法。
【発明の詳細な説明】
【技術分野】
【０００１】
本発明は、画像処理装置、画像処理装置の制御方法に関する。
【背景技術】
【０００２】
画像処理装置で主電源をオフにする際には、ユーザは直接、主電源スイッチをオフにする必要がある。しかし、主電源スイッチをオフにした時に、画像形成装置が印刷中などの動作中である場合は、即座に主電源を切ってしまうと、ソフト的またはハード的に不具合が生じる場合がある。そのような問題に対応するために、主電源スイッチをオフにした場合には、主電源が切れる準備が整った後に実際に主電源を切る画像形成装置が提案されている（例えば、特許文献１参照）。
【発明の概要】
【発明が解決しようとする課題】
【０００３】
しかし、特許文献１記載の技術では、主電源スイッチがオフにされてから一定時間経過後に、主電源をオフにする。従って、主電源を切るための後処理（例えば、印刷ジョブのキャンセルなど）に伴う全てのログ情報の保存を行なうことができないという問題があった。
【０００４】
そこで、このような問題を鑑みて、本発明では、主電源スイッチがオフにされた場合に、全てのログ情報を記憶させた後に、主電源をオフにする画像処理装置、画像処理装置の制御方法を提供することを目的とする。
【課題を解決するための手段】
【０００５】
上記目的を達成するため、主電源をオフにするための主電源スイッチと、前記主電源スイッチがオフにされたことを検知する検知手段と、ログ情報が記憶される記憶手段と、前記記憶手段にログ情報を記憶する第１処理、および、前記主電源をオフにするために必要な第２処理を行なう管理手段と、前記主電源をオフにするために必要な第３処理を行い、ログ情報を生成し、該生成されたログ情報について前記管理手段に前記第１処理を行わせるための第１要求信号を前記管理手段に送信する生成手段と、前記検知手段が前記主電源スイッチがオフにされたことを検知すると、前記管理手段に前記第２処理を行わせるための第２要求信号を送信し、前記生成手段に前記第３処理を行わせるための第３要求信号を送信する要求手段と、を有し、前記生成手段は、前記第３処理および、前記第１要求信号の送信処理が終了すると、前記要求手段に第３終了信号を送信し、前記管理手段は、前記第２処理が終了すると、第２終了信号を前記要求手段に送信し、前記要求手段は、前記第２終了信号および前記第３終了信号を受信すると、ログ記憶要求終了信号を前記管理手段に送信し、前記管理手段は、前記ログ記憶要求終了信号を受信する時までに前記第１要求信号により記憶されることが要求されている、全てのログ情報を前記記憶手段に記憶させ、主電源をオフにすることを特徴とする画像処理装置を提供する。
【発明の効果】
【０００６】
本発明の画像処理装置、画像処理装置の制御方法によれば、主電源スイッチがオフにされた場合に、全てのログ情報を記憶させた後に、主電源をオフにすることが出来る。
【図面の簡単な説明】
【０００７】
【図１】本実施例の画像処理装置の機能構成例を示す図。
【図２】本実施例のモジュールの相関図を示した図。
【図３】本実施例のコントローラについて示した図。
【図４】本実施例の処理フロー図。
【図５】別の実施形態の処理フロー図（その１）。
【図６】別の実施形態の処理フロー図（その２）。
【図７】本実施例の表示画面の一例を示した図。
【図８】別の実施形態の処理フロー図（その３）。
【発明を実施するための形態】
【０００８】
以下に、各実施形態について説明する。また、同じ機能を持つ構成部や同じ処理を行う過程には同じ番号を付し、重複説明を省略する。
［実施形態１］
画像処理装置とは、例えば、画像に何らかの処理を施す装置であり、例えば、画像形成する画像形成装置や、画像を表示手段に表示させる画像表示装置などがある。また、画像形成装置とは例えば、プリンタ、ファクシミリ、複写装置、プロッタ、これらの複合機などである。
【０００９】
図１に本実施形態１の画像処理装置の要部の機能構成例を示す。図１の例では、本実施形態の画像処理装置には、主電源部１００と、コントローラ２００と、記憶手段３００などが含まれている。また主電源部１００には、主電源スイッチ１０２と電源オフ手段１０４と検知手段１０６が含まれている。主電源スイッチ１０２とは画像処理装置にハード的に設けられているものであり、ユーザが画像処理装置の電源をオフにする場合には、主電源スイッチをオフにすることで、画像処理装置の主電源をオフにする。検知手段１０６には、主電源スイッチ１０２がオフにされたことを検知するものである。また。主電源をオフにするということは、画像処理装置内の全ての機器をオフにするということである。
【００１０】
また、電源オフ手段１０４は、ユーザにより、主電源スイッチ１０２がオフにされた後に、後述する処理が全て終了してから、画像処理装置の主電源をオフにするリレースイッチである。コントローラ２００は、様々なモジュールが含まれている。記憶手段３００には、ログ情報が記憶されるものである。
【００１１】
図２にコントローラ２００の機能構成例を示し、図３にコントローラ２００内の各モジュールの接続相関図を示す。図２、図３の例では、要求モジュール２０２、提供モジュール２０４、提供モジュール２０６、実行モジュール２０８、実行モジュール２１０、提供モジュール２２０を有する。
【００１２】
提供モジュール２０４、２０６は、サービスと呼ばれるモジュールであり、実行モジュール２０８、２１０にサービスを提供するモジュールである。ここで、サービスとは、画像処理装置が画像形成装置の場合には、例えば、画像を保存するサービスや、画像を編集するサービスなどをいう。
【００１３】
実行モジュール２０８、２１０は、アプリケーションと呼ばれるモジュールであり、画像処理装置が画像形成装置の場合には、提供モジュール２０４、２６から提供されたサービスを実行するものであり、例えば、コピーアプリやプリンタアプリなどである。
【００１４】
そして、提供モジュール２０４、２０６は、サービスを提供したことを示すログ情報を生成する。また、実行モジュール２０８、２１０は、サービスを実行したことを示すログ情報を生成する。提供モジュール２０４、２０６、実行モジュール２０８、２１０をまとめて、生成手段２１５という。生成手段２１５は、処理を行ったことを示すログ情報を生成するものである。
【００１５】
また、提供モジュール２２０は、ログ情報を記憶手段３００に記憶する。以下では、提供モジュール２２０を「管理手段２２０」といい、ログ情報を記憶手段３００に記憶する処理を第１処理という。また、管理手段２２０は、ユーザにより、主電源スイッチ１０２がオフにされると、主電源をオフにするために必要な処理を行う。該必要な処理を第２処理という。第２処理とは、例えば、生成手段２１５により生成されたログ情報を外部の管理装置に転送する処理や、ログ情報の読み込み処理である。
【００１６】
また、要求モジュール２０２は、主電源をオフにする際に、生成手段２１５の各モジュール２０４、２０６、２０８、２１０、管理手段２２０の処理の順番を制御する。以下では、要求モジュール２０２を要求手段２０２という。
【００１７】
次に、図４に、実施形態１の画像処理装置の処理フローを示す。生成手段２１５の提供モジュール２０４、提供モジュール２０６、実行モジュール２０８、実行モジュール２１０はそれぞれ管理手段２２０に対して、第１要求信号を送信する（ステップＳ２）。第１要求信号とは、管理手段２２０に対して第１処理を行わせるための信号である。第１処理とは、管理手段２２０に対して、生成手段２１５が生成したログ情報を記憶手段３００に記憶させる処理である。つまり、提供モジュール２０４、提供モジュール２０６、実行モジュール２０８、実行モジュール２１０は第１要求信号を送信することで、それぞれが生成したログ情報が記憶手段３００に記憶させることが出来る。また、生成手段２１５は、自己が生成したログ情報を記憶手段３００に記憶させるために、主電源スイッチ１０２がオフにされる前後に関係なく、管理手段２２０に第１要求信号を送信している（ステップＳ２）。図４では、図面簡略化のために、第１要求信号を送信するステップＳ２を１つのみ示す。
【００１８】
ユーザが主電源スイッチ１０２をオフにすると、検知手段１０６は、主電源スイッチ１０２がオフにされたことを検知する。そして、要求手段２０２は、生成手段２１５に対して第３要求信号を送信し（ステップＳ６）、管理手段２２０に対して、第２要求信号を送信する（ステップＳ８）。
【００１９】
ここで、第３要求信号とは、生成手段２１５に対して、第３処理を行わせることである。ここで、第３処理とは、生成手段２１５が行なっていた処理（提供モジュール２０４、２０６は、実行モジュール２０８、２１０にサービスを提供する処理、実行モジュール２０８、２１０はサービスを実行する処理）を全て停止する処理、および、管理手段２２０に第１要求信号を送信する処理などをいう。
【００２０】
また、第２要求信号とは、管理手段２２０に対して、第２処理を行わせることである。また、図４では、第３要求信号の送信を先に行い、第２要求信号の送信を後で行なっているが、これらの送信処理の順番は逆でもよく、また、同時に行なってもよい。
【００２１】
そして、生成手段２１５は、第３処理が終了すると第３終了信号を要求手段２０２に送信する（ステップＳ１０）。ここで、第３処理が終了するとは、生成手段２１５が行なっていた処理（提供モジュール２０４、２０６は、実行モジュール２０８、２１０にサービスを提供する処理、実行モジュール２０８、２１０はサービスを実行する処理）を全て停止する処理、および、管理手段２２０に第１要求信号を送信する処理が全て終了するということである。つまり、生成手段２１５は、第３終了信号を要求手段２０２に送信した後には、ログ情報を生成せず、また管理手段２２０に対して、第１要求信号を送信することはない。つまり、画像処理装置の主電源スイッチがオンされた時から、生成手段２１５が第３終了信号を要求手段２０２に送信する時までの期間Ａ中、生成手段２１５はログ情報を生成し、第１要求信号を管理手段２２０に送信することになる。つまり、管理手段２２０は、期間Ａの間、ログ情報を記憶手段３００に記憶することになる。
【００２２】
また、管理手段２２０は、第２処理が終了すると、第２終了信号を要求手段２０２に送信する（ステップＳ１２）。そうすると、要求手段２０２は、第２処理、第３処理が終了したことを認識する。そして、要求手段２０２は、第２終了信号、第３終了信号を受信すると、ログ記憶要求終了信号を管理手段２２０に送信する（ステップＳ１４）。ここで、ログ記憶要求終了信号とは、管理手段２２０に対して、ログ情報を記憶手段３００に記憶させることを終了させるための信号である。
【００２３】
管理手段２２０が、ログ記憶要求終了信号を受信すると、このログ記憶要求終了信号を受信する時までに、第１要求信号により記憶されることが要求されている全てのログ情報を記憶手段３００に記憶させる（ステップＳ１６）。
【００２４】
そして、管理手段２０２が、全てのログ情報を記憶手段３００に記憶させると、全てのログ情報を記憶手段３００に記憶させる処理である第１処理が終了したことを示す第１終了信号を要求手段２０２に送信する（ステップＳ１８）。要求手段２０２は、第１終了信号を受信すると、第１処理（全てのログ情報を記憶手段３００に記憶させる処理）、第２処理、第３処理が全て終了したことを認識する。
【００２５】
そして、要求手段２０２は、全ての処理（第１処理、第２処理、第３処理）が終了したことを示す全処理終了信号を電源部１００に送信する（ステップＳ２０）。そして、電源部１００が、全処理終了信号を受信すると、電源オフ手段１０４は、画像処理装置の主電源をオフにする（ステップＳ２２）。
【００２６】
このように、本実施形態１の画像処理装置であれば、ユーザにより主電源スイッチ１０２がオフにされた場合に、生成手段２１５の第３処理（生成手段２１５の各モジュールのログ情報の生成処理、管理手段２２０へのログ情報の記憶要求処理）と、第２処理が終了した後に、主電源オフを行なう。第２処理、第３処理の終了以降には、ログ情報は生成されることはない。従って、全てのログ情報を記憶させた後に、主電源をオフにすることが出来る。
【００２７】
また、ステップＳ１６において、管理手段２２０による、全てのログ情報を記憶手段３００に記憶させる処理が終了すると、管理手段２２０は、全てのログ情報を記憶手段３００に記憶させたことを示す終了ログ情報を生成して、記憶手段３００に記憶させることが好ましい。この終了ログ情報を記憶手段３００に記憶させた時以降は、生成手段２１５はログ情報を生成、記憶しておらず、つまり、画像処理装置が作動していないということである。従って、終了ログ情報が記憶手段３００に記憶された場合には、ユーザは、該終了ログ情報が記憶手段３００に記憶された時以降は、画像処理装置が作動していないことを証明することが出来る。
【００２８】
ユーザに、終了ログ情報を記憶手段３００に記憶させるか否かを選択させることが好ましい。具体的には、ユーザは、第１選択手段４０２で選択する。第１選択手段４０２は、例えば、キースイッチ（ハードキー）とタッチパネル機能（ＧＵＩのソフトウェアキーを含む：Graphical User Interface）を備えたＬＣＤ（Liquid Crystal Display）とから構成され、画像処理装置が有する機能を利用する際のＵＩ（User Interface）として機能するものである。また、この構成は、第２選択手段４０４（後述する）についても同様である。
【００２９】
このように、ユーザが第１選択手段４０２により、終了ログ情報を記憶手段３００に記憶させるか否かを選択させることができる。これにより、ユーザが、終了ログ情報を記憶手段３００に記憶させる必要がないと判断すると、終了ログ情報の生成コスト、終了ログ情報の記憶コストを削減することが出来る。
［実施形態２］
次に、実施形態２の画像処理装置について説明する。実施形態２の画像処理装置では、ステップＳ１６（図４参照）での全てのログ情報を記憶手段３００に記憶させるのに、ログ情報の容量が多いなどの理由で、多大な時間を要する場合がある。このような場合には、ユーザにとって、ストレスとなる。そこで、実施形態２の画像処理装置では、予め定められた所定時間Ｔ内に全てのログ情報が記憶できない場合には、ユーザにその旨を認識させ、ユーザにストレスを感じさせないようにしたものである。
【００３０】
実施形態２の画像処理装置の処理フローを図５に示す。図５の処理フローは、図４の処理フローと比較して、ステップＳ１６の後に、ステップＳ３０、ステップＳ３２の処理を行う点で異なる。
【００３１】
要求手段２０２は、タイマ手段（図示せず）を有する。そして、要求手段２０２が、ログ記憶要求終了信号を送信した時から、時間の計測を行なう。また、所定時間Ｔを予め定めておき、記憶手段３００や、他の記憶領域に記憶させる。そして、タイマ手段が計測している時間が予め定められた所定時間Ｔを超えた場合には、要求手段２０２は、表示手段４０６に、「所定時間Ｔ内に全てのログ情報を記憶できなかった」旨の情報を表示する（ステップＳ３２）。
【００３２】
ここで、表示手段４０６のこの情報の表示の手法について、画面にこの情報を表示してユーザに認識させるようにしても良い。また、画像処理装置が画像形成装置の場合には用紙に、この情報を印刷して排出してユーザに認識させるようにしても良い。また、表示手段４０６がこの情報を音声で出力して、ユーザに認識させるようにしても良い。また、これらの手法を組み合わせて行なってもよい。
【００３３】
この実施形態２の画像処理装置であれば、所定時間Ｔ内に全てのログ情報を記憶手段３００に記憶させることが出来ない場合でも、その旨を表示することで、ユーザに認識させることが出来る。従って、ログ情報の記憶処理に多大な時間を要したとしても、ユーザにストレスを感じさせることはない。
［実施形態３］
次に実施形態３の画像処理装置について説明する。実施形態２の画像処理装置では、所定時間Ｔ以内に、全てのログ情報が記憶されないと、「所定時間Ｔ内に全てのログ情報を記憶できなかった」旨の情報を表示手段４０６に表示させると説明した。実施形態３の画像処理装置では、所定時間Ｔ以内に、全てのログ情報が記憶されないと、主電源をオフにするか、ログ情報を記憶させる処理を継続するかを選択させる。このようにすることで、ユーザは、主電源をオフにするか、ログ情報を記憶させる処理を継続するかを選択できることで、更に使い勝手の良いものとなる。
【００３４】
図６に実施形態３の画像処理装置の処理フローを示す。図６を図４と比較すると、ステップＳ１６とステップＳ２０との間に、ステップＳ３０、ステップＳ４２、ステップＳ４４の処理が含まれている。
【００３５】
ステップＳ３０で、所定時間Ｔが経過すると、表示手段４０６に選択画面を表示させる。そして、ユーザは、第２選択手段４０４により、「主電源をオフにする」または「ログ情報の書込みを継続する」と選択する。選択画面の一例を図７に示す。表示手段４０６として、例えば、タッチパネルとすればよい。そして、「主電源をオフにする」ボタンおよび「ログ情報の書込みを継続する」ボタンを電子的に表示させ、ユーザにタッチさせる。この場合には、第２選択手段４０４はタッチパネルとなる。
【００３６】
そして、要求手段２０２が、ユーザが主電源オフを選択したか否かを判断する（ステップＳ４４）。もし、ユーザが、主電源オフを選択していない場合（つまり、ログ情報の記憶を継続することを選択した場合）には（ステップＳ４４のＮｏ）、再び、管理手段２２０は、ログ情報の記憶手段３００への記憶処理を継続する（ステップＳ１６）。そして、所定時間Ｔが経過する前に、全てのログ情報を記憶させると、第１完了信号（図４記載のステップＳ１８）を要求手段２０２に送信する。一方、全てのログ情報が記憶されないまま、再び所定時間Ｔが経過すると、要求手段２０２は、再び選択画面を表示させる（ステップＳ４２）。
【００３７】
一方、ユーザが第２選択手段４０４で主電源オフを選択した場合（ステップＳ４４のＹｅｓ）、要求手段２０２は、全処理終了信号（図４のステップＳ２０）を電源部１００に送信する。そして、ステップＳ２２の処理を行なう。
【００３８】
また、ステップＳ３２の処理である「「所定時間Ｔ内に全てのログ情報を記憶できなかった」旨の情報を表示手段４０６に表示させる処理」をステップＳ４２の前に行ってもよい。
【００３９】
この実施形態３の画像処理装置であれば、所定時間Ｔ以内で、全てのログ情報が記憶されないと、ユーザは、主電源をオフにするか、記憶手段３００にログ情報を記憶させる処理を継続するかを選択することが出来る。従って、ユーザにとって、使い勝手のよいものとなる。
［実施形態４］
次に、実施形態４の画像処理装置について説明する。図８に実施形態４の画像処理装置の処理フローを示す。図８の処理フローは、図４の処理フローと比較して、ステップＳ３０、ステップＳ４２、ステップＳ４４、ステップＳ５２、ステップＳ５４の処理が追加されている。
【００４０】
ステップＳ３０で所定時間が経過すると、ステップＳ４４で選択画面を表示させる。そして、ユーザが「主電源をオフにする」を選択すると（ステップＳ４４のＮｏ）、要求手段２０２は、強制的に主電源をオフにしたことを記憶する（ステップＳ５２）。そして、ステップＳ２０、Ｓ２２の処理を行う。
【００４１】
そして、ユーザが、再び画像処理装置を起動させると、ステップＳ５２で該主電源をオフにしたことを示すログ情報（以下、「強制終了ログ情報」という。）を記憶手段３００に記憶させるための要求信号を管理手段２２０に送信する（ステップＳ５４）。そして、管理手段２２０は、要求信号を受信すると、強制終了ログ情報を記憶手段３００に記憶させる。
【００４２】
このように、本実施形態４では、記憶手段３００にログ情報を記憶させる処理が、予め定められた所定時間Ｔ内に終了しないときに、主電源をオフにした場合には、次の起動時に、該主電源をオフにしたことを示すログ情報（強制終了ログ情報）を記憶手段３００に記憶させる。従って、ユーザにより主電源が強制的にオフにされて、全てのログ情報が記憶手段３００に記憶されなかった場合に、画像処理装置の管理者が、ログ情報をチェックする際に、強制終了ログ情報を認識することで、「ユーザにより主電源が強制的にオフにされて、全てのログ情報が記憶手段３００に記憶されなかった」ことを容易に、判別することが出来る。
【符号の説明】
【００４３】
１００    主電源部
１０２    主電源スイッチ
１０４    電源オフ手段
２０２    要求モジュール
２１５    生成手段
２２０    管理手段
４０２    第１選択手段
４０４    第２選択手段
４０６    表示手段
【先行技術文献】
【特許文献】
【００４４】
【特許文献１】特開２００７−１３３２６９号公報
【図１】
0005625843.tif 000002
【図２】
0005625843.tif 000003
【図３】
0005625843.tif 000004
【図４】
0005625843.tif 000005
【図５】
0005625843.tif 000006
【図６】
0005625843.tif 000007
【図７】
0005625843.tif 000008
【図８】
0005625843.tif 000009